(57)【要約】【課題】  ＬＥＤランプなど複数の光源を採用する自動販売機の押しボタンスイッチの従来構成においては、レンズ面を均一に光輝させるためには光源の数が多くなり、コストアップと消費電力の増加を生じる問題点があった。また、シール部の隙間が生じやすく雨水等の浸入が生じることがあった。【解決手段】  本発明により、光源２と該光源２の前方に配設したプリズムシート２４とを有し、プリズムシートは多数の略円柱形状の多面プリズムレンズ列３ａを備えた第一のプリズムレンズ列と、同様に多数の略円柱形状の第二のプリズムレンズ列４ａを備え、且つ、第一と第二のプリズムレンズ列が直交する発光ユニット５を備える自動販売機の押しボタンスイッチ１としたことで、ＬＥＤ光源の真上のみでなく、その周辺のプリズムレンズ交差部において複数の輝点を生る。、これによって上記した課題を解決する。【選択図】        図３
2006031505.tif 000002
【特許請求の範囲】
【請求項１】
前面パネル開口部に取り付ける押しボタンスイッチであって、前面側の操作ボタンと、その背面側に主たる発光方向を押しボタンスイッチの照射軸と略合致させて設けられた光源およびスイッチ素子を搭載する基板をハウジング内に備え、操作ボタンから前記光源の光を照射する照光式の押しボタンスイッチにおいて、
前記操作ボタンは、前面側に光透過性材料からなる表面部材を有し、その非周辺部に少なくとも一つの光源を設け、周辺部の背面にスイッチ素子を設け、
表面部材と光源の間の空間内に、透光性の弾性部材と、その背面側で光源と対峙する位置に半円柱形状に近似可能な多面プリズムを備えるプリズムシートを設け、
前記弾性部材は、前記光源と反射部材を水密的に外部環境から隔離するようにハウジングとシールされており、
前記プリズムシートは、第一の多面プリズムと第二の多面プリズムを有し、第一プリズムと近似される半円柱形状の軸と第二のプリズムに近似される半円柱形状近の軸が交差するように配列されていることを特徴とする照光式の押しボタンスイッチ。
【請求項２】
前記多面プリズムは、５面から１０面までの平面表面の組み合わせからなることを特徴とする請求項１記載の押しボタンスイッチ。
【請求項３】
前記第一多面プリズムと第二多面プリズムの軸がほぼ直交していることを特徴とする請求項１または請求項２に記載の押しボタンスイッチ。
【発明の詳細な説明】
【技術分野】
【０００１】
本発明は、照光式の押しボタンスイッチに関するもので、特に各種の商品購入時に操作する自動販売機の押しボタンスイッチの構成に係るものである。
【背景技術】
【０００２】
従来のこの種の自動販売機の押しボタンスイッチの例を示すものが図８である。自動販売機の押しボタンスイッチ９０は、自動販売機の前面パネル側に設置する操作ボタン９１と、その背面側に設置する基板９５とを有する。
【０００３】
操作ボタン９１は前面パネル側の表部材９２と、その表部材と係合して前面パネルの背面に設置される裏部材９３とからなる。裏部材はフック等の固定手段９３ａにより前面パネル９９に固定される。表部材の背面側には棒状の突出部９４が一体に形成され、押しボタンスイッチを押す操作により基板に搭載したスイッチ９５ａを押してＯＮ−ＯＦＦのスイッチングを行う。また符号９６は表部材と裏部材との間に設けられたフレキシブルな耐水性のシール部材で、これによりスイッチの防水を保っている。符号９７はコイルスプリングで操作ボタンの表部材を前方、すなわち前面パネル側に付勢する。これにより非操作状態においては常に前方に表部材が位置することになる。
【０００４】
前面パネルには透明な窓部９９ａが設けられ、その背面には例えばホット／コールドなどの商品情報を表示するための表示板が設けられる。表示板の背面には基板上に搭載したＬＥＤ（発光ダイオード）９５ａを複数個搭載し、スイッチの操作に応答して点灯する。
このような押しボタンスイッチは例えば特許文献１に提案されている。
【特許文献１】特開２００２−２３６９６６号公報
【発明の開示】
【発明が解決しようとする課題】
【０００５】
しかしながら、前記した従来の構成の押しボタンスイッチ９０においては、ＬＥＤの点灯／非点灯のみしか行われていず点灯時の印象が単一なものとなっていた。かかる問題を解決するためにＬＥＤ９５ａの前面に魚眼レンズカット９４ａを設けた前面レンズ９４を配設し、魚眼レンズカットの作用で拡散させるものもある。この場合魚眼レンズカットにより前面レンズ９４の面が光輝して見えるものとなるが、点灯時の印象が極めて平面的なものとなり商品性が乏しく、特に高級感を演出するために奥行感、立体感が要求される自動販売機のスイッチとして用いたとしてもその効果は僅かなものであり、到底にデザイン面などからの要望に対応できないと言う問題点を生じ、この点の解決が課題とされるものとなっていた。
【０００６】
また、他の課題として押しボタンスイッチ自体が照光しないため押しボタンスイッチと商品情報表示を自由なデザインで設計することが可能になる効果を有するもののボタンと表示部が独立している単調化したデザインしか得られず、他の商品との差別化が図ることが難しい。特に押しボタンスイッチを含めた一体感のある斬新なデザインを得ることは困難であった。
また、商品情報表示部は必要な表示部の全体を均一に照明することが優先して光源であるＬＥＤの数の設定が行われるものとなるため、照度的には過剰な数のＬＥＤが採用され、必要以上の電力を消費する、即ち、効率が低下する問題点を生じている。
【０００７】
本発明は、使用するＬＥＤ光源の数を低減し、かつ、斬新なデザインの押しボタンスイッチを提供することを目的としている。
【課題を解決するための手段】
【０００８】
上記目的は、本発明の第一の態様によれば、前面パネル開口部に取り付ける押しボタンスイッチであって、前面側の操作ボタンと、その背面側に主たる発光方向を押しボタンスイッチの照射軸と略合致させて設けられた光源およびスイッチ素子を搭載する基板をハウジング内に備え、操作ボタンから前記光源の光を照射する照光式の押しボタンスイッチにおいて、前記操作ボタンは、前面側に光透過性材料からなる表面部材を有し、その非周辺部に少なくとも一つの光源を設け、周辺部の背面にスイッチ素子を設け、表面部材と光源の間の空間内に、透光性の弾性部材と、その背面側で光源と対峙する位置に半円柱形状に近似可能な多面プリズムを備えるプリズムシートを設け、前記弾性部材は、前記光源と反射部材を水密的に外部環境から隔離するようにハウジングとシールされており、前記プリズムシートは、第一の多面プリズムと第二の多面プリズムを有し、第一プリズムと近似される半円柱形状の軸と第二のプリズムに近似される半円柱形状近の軸が交差するように配列されていることを特徴とする照光式の押しボタンスイッチ、により達成される。
【０００９】
この第一の態様では、プリズムシートに設けられた第一の多面プリズムと第二の多面プリズムとが交差するように光源の前方側に設置される。よって、光源が点灯した場合には光源からの光が第１の多面プリズムおよび第二の多面プリズムを通過して照射する際に両プリズム内を異なる角度に屈折して複数の経路を辿って進行する。これにより光源の直上部分のみでなく、光源から離れた複数の個所において恰も光源が存在するような輝点が観察され、実際に点灯している光源の数よりも多くの光源を設置したように視認され、斬新なデザインの押しボタンスイッチとすることができ得る。
【００１０】
さらに、光源が点灯していない場合において、第一の多面プリズムと第二の多面プリズムとが交差するように光源の前方側に設置されているため、光源が非点灯時において直接に観視しにくいものになる。また、両プリズムを通して光源や光源の周囲の反射面などが観視されたとしても、第一の多面プリズムおよび第二の多面プリズムにより複数の光路を経て視認されるものであるため、その複数の光路長に大きな差が生じ、奥行き感のある、斬新なデザインの押しボタンスイッチとすることができ得る。
【００１１】
また、光源、プリズムシート等を水密的に覆うことで外部からの雨水等の浸入を確実に抑止することができるようになる。
【００１２】
本発明の第二の態様による押しボタンスイッチは、前記第一の態様の押しボタンスイッチにおいて、前記多面プリズムは、５面から１０面までの平面表面の組み合わせからなることを特徴とする。
【００１３】
この第二の態様では、一つの光源から発せられた光が、交差する多面プリズムによって形成される多数の集光部（擬似光源）を生じさせる。これにより、光源が点灯した際には光源直上のみでなく、光源直上から離散的に集光部（擬似光源）が点在する。よって比較的広い面積においてコントラストのある光輝領域を形成することが可能となり、スイッチのデザイン自由度が向上する。また、外観上観視される光源の数にくらべて少ない数の光源にて実現可能となるため、低コスト、低消費電力とすることができ得る。
【００１４】
本発明の第三の態様による押しボタンスイッチは、前記第一の態様もしくは第二の態様の押しボタンスイッチにおいて、前記第一多面プリズムと第二多面プリズムの軸がほぼ直交していることを特徴とする。
【００１５】
この第三の態様では、第一の多面プリズムと第二の多面プリズムの軸がほぼ直交しているので、光源が点灯した際に光源直上から離散的に点在する集光部（擬似光源）が、光源直上を中心にほぼ等距離に点在することになり、比較的広い面積を効率よく照射することができ得る。
【発明の効果】
【００１６】
本発明によれば光源が点灯した場合に観視者に与える光源の数に比べて実際に搭載する光源の数を少なくすることができ、これにより、自動販売機の押しボタンスイッチに設置する光源の数を減少化して、コストダウンおよび消費電力の低減に極めて優れた効果を奏するものである。
【００１７】
また第二には、光源の非点灯状態においても、多面プリズムによる屈折作用によって複数の異なる光路長として、これにより光源等を外部から観視しにくくするとともに、奥行き感のある従来にない斬新な外観を自動販売機の押しボタンスイッチに与えることを可能とし、この種の自動販売機の押しボタンスイッチのデザインの向上に優れた効果も奏するものである。
【００１８】
さらに、シール性にすぐれた押しボタンスイッチを得ることができる。これにより、雨水等の進入を確実に抑止することが可能となり、特に屋外に設置する自動販売機において信頼性が向上する。
従って、本発明によれば、簡単な構成により信頼性が高く、奥行感、立体感を与えるものであり、これにより、例えば高級感の演出が可能となるなどこの種の斬新なデザインの自動販売機の押しボタンスイッチの商品性の向上に極めて優れた効果を奏するものである。
【発明を実施するための最良の形態】
【００１９】
以下、この発明の好適な実施形態を図１乃至図１３を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【実施例１】
【００２０】
図１は本発明に係る自動販売機の押しボタンスイッチ１を備えた自動販売機の一例の正面図を示し、図２は押しボタンスイッチ１周辺の要部を示すものである。自動販売機１００の前面パネル１１０には、販売する商品を展示する商品見本部１２０が上下方向に沿って複数段（図示の場合は３段）にわたって設けられている。商品見本部は前面パネルの一部を透明材とすることで前面から視認可能とされている。商品見本部１２０の近傍（図示の場合には下側）には押しボタンスイッチ１を備えている。前面パネル１１０には押しボタンスイッチ１を取り付けるための開口部１１１が形成してある。また、前面には商品取り出し口１３０、金銭取り扱い部１４０などが設けられている。
【００２１】
金銭取り扱い部１４０に一定額以上の金銭を投入すると、押しボタンスイッチ１が電気的に作動可能となるようになされており、押しボタンスイッチ１が電気的に作動可能となったことを利用者に知らしめるために当該押しボタンスイッチ１が発光するように押しボタンスイッチの背面には光源が設置されている。
【００２２】
図３は押しボタンスイッチ１の要部断面図、図４は押しボタンスイッチ１の正面図である。押しボタンスイッチ１は、前面パネル側に設置する操作ボタン２０と、その背面側に設置する基板５０とを有する。基板５０には前面パネル側に光を照射するように設定されたＬＥＤ光源２と、スイッチ５１、５２が設けてある。スイッチ５１、５２は操作ボタン２０の移動によってスイッチのＯＮ−ＯＦＦを行うタクトスイッチが基板５０のＬＥＤ光源２の搭載側と同一の表面側に実装され、図示しない制御装置に電気的に接続されている。基板５０の背面側にはハウジング５３を設ける。ハウジング５３の端部にはネジ穴５４が形成されネジ５５で前面パネル１１０に固定する。自動販売機１００への組み付け性を効率良く行うためにはハウジング５３内に複数の押しボタンスイッチ１を有すると良い。またハウジング５３と前面パネル１１０を固定することにより前面パネル側から進入した雨水等がハウジング５３よりも更に背面側に侵入しないように水密的に形成されている。なお符号１１２は前面パネルの背面側に設けた固定脚である。
【００２３】
また、操作ボタン２０は光輝領域３０とスイッチ領域３５とを備える。光輝領域３０では操作ボタン２０の背面側に光源である複数のＬＥＤ２（２ａ、２ｂ、２ｃ）とＬＥＤ２の前面側にプリズムシート２４等を備える。また、光輝領域３０は前面パネルの開口部１１１に設置される。スイッチ領域３５は光輝領域３０の周囲に設けられ、操作ボタン２０の背面側にスイッチ５１，５２を備え、操作ボタン２０の当該領域前面側は前面パネル１１０の裏面と密接するように取り付けられる。
【００２４】
操作ボタン２０は、前面パネル側から順に光透過部材からなる表面部材２１、所定の模様を印刷したフィルム状または薄い板状のフィルター部材２２、透光性を有する弾性部材２３およびプリズムシート２４を有する。
【００２５】
表面部材２１は、例えばアクリル樹脂等の光透過部材からなり、光輝領域３０となる操作部２１ａとスイッチ領域３５となる周辺部２１ｂとを備える。操作部２１ａは前面パネル１１０の開口部１１１に対応する楕円形状を有しており、取り付けた際にその表面が前面パネル１１０の表面より僅かに突出するように段差を設けて形成され、周辺部２１ｂと一体に成形されている。周辺部２１ｂは、表面部材が開口部１１１から脱落しない大きさを備え、また、スイッチの押動時には、その背面側が弾性部材２３を介してスイッチ５１，５２を作動可能なようにスイッチに対峙するとともに背面側に向かって移動可能に形成されている。また、押しボタンスイッチ１全体の厚みを薄くするためには、表面部材２１を光輝領域３０の背面側が凹形状となるように形成し、図示のようにその凹部内にプリズムシート２４を設置することが望ましい。
【００２６】
フィルター部材２２は、表面部材２１の凹部内に設置され、所望の文字や模様がその表面に印刷されており、光輝領域３０がＬＥＤ２の点灯により輝いた際に文字や模様を表示する。表示する文字等が不要な場合にはフィルター部材２２を省略しても良い。
【００２７】
弾性部材２３は、透光性と弾性を有する材料から選択する。また、前面パネル側から侵入した雨水等が基板５０側、特に基板５０、スイッチ５１，５２およびＬＥＤ光源２に到達しないように水密性を有するようにこれらを覆うように設置する。例えば前記した表面部材２１の凹部内においては表面部材の背面側形状に沿った平坦形状とし、端部２３ａにおいてはハウジング５０と表面パネル１２０の背面側に設けた固定脚１１２とで挟持する。このとき固定脚１１２の一部に切り欠き１１２ａを設けておき、切り欠き１１２ａの深さを弾性部材端部２３ａの厚みより僅かに小さなものとしておくと、ハウジング５０と表面パネル１２０とを固定することで弾性部材２３を確実に挟持して水密性が高い信頼性で確保される。弾性部材２３としてはシリコーンゴムが好適である。
また、押しボタンスイッチ１の押動時において、背面側に設置したスイッチ５１，５２を確実に操作可能とするため、各スイッチ５１，５２に対応する位置に突起２３ｂを設けてある。また、周辺部のみに弾性部材２３を設けてもよく、その場合には非透光性材料により形成しても良い。
【００２８】
プリズムシート２４は、表面部材２１の凹部内で弾性部材２３により自動販売機の外部環境と水密的に分離した背面側に設置される。図５はプリズムシート２４の要部を拡大して示す。プリズムシート２４は２枚のプリズムシート２４ａ、２４ｂからなり、各シートの表面には近似的には半円柱状形状の複数のプリズムレンズ３、４が形成してある。また、半円柱面には複数の傾斜角が組合されて形成されたプリズム状の断面を有する線状の多面プリズム３ａ，４ａがそれぞれの軸方向が直交するように設けられている。
【００２９】
尚、図５においては第一のプリズムシート２４ａの第一の多面プリズム３ａと、第二のプリズムシート２４ｂの第二の多面プリズム４ａとが背中合わせで、かつ、直交するように配置している。図示は省略するが前記多面プリズム３ａ、４ａは同一方向側、例えばＬＥＤ光源側を向くように２枚のプリズムシートを重ね、且つ、両シートの各多面プリズムが交差するように施しても、半円柱状形状が対向するように２枚のシートを重ね合わせて交差するように施しても良く、この場合にも作用、効果においては何等に変わることはない。
ＬＥＤ光源２が点灯した場合には、少なくともその光線の一部が多面プリズム３ａに入射し、その光が他方の多面プリズム４ａを通って光輝領域３０から自動販売機の前面側に向かって光を照射する。。
【００３０】
なお、図３においては説明をわかりやすくするために厚み方向、すなわち断面方向を基板５０の平面方向に比べて拡大して誇張して図示している。
【００３１】
次に図４〜図６を用いて本発明に係る自動販売機の押しボタンスイッチの光輝領域３０について詳細に説明する。なお、説明をわかりやすくするために、図５および図６においてプリズムシート２４は、その要部である多面プリズム３ａ，４ａを主に記載するものとし、一部を省略している。
【００３２】
光源２であるＬＥＤは、基板５０上に離散的に複数個、その主照射方向は基板５０の法線方向となるように設置する。本実施形態においては楕円形状のスイッチの楕円長軸に沿って３個のＬＥＤ光源２ａ，２ｂ，２ｃを設けている。また、基板５０の光源２側の少なくとも光源２を除く表面にアルミニウム蒸着や白色塗装などを施した反射面５ａを設ける。なお、反射面５ａは基板上に直接形成したものでも、別体に形成したもの、例えば金属板反射鏡でも良い。
【００３３】
光源２の前方には２枚のシートからなるプリズムシート２４を配設する。プリズムシート２４は、光輝領域３０とほぼ同一形状の楕円形状を有しており、透光性の材料、例えばアクリル樹脂の射出成形により形成する。ＬＥＤ光源２と対峙する位置に多数の第一多面プリズム３ａを備える第一のプリズムシート２４ａを配設し、第一プリズムシート２４ａと表面部材２１との間に第二プリズムシート２４ｂを設置する。第二プリズムシート２４ｂの表面部材２１側の表面には多数の第二多面プリズム４ａを備える。半円柱状のレンズの軸に直交する何れの断面においても同一形状となるものとされている。
図５に要部を拡大して示すように、第一多面プリズム３ａおよび第二多面プリズム４ａは複数の屈折角を得られるように異なる傾斜角を組合せて形成した多面プリズムとなっている。ここで多面プリズムは半円柱状のレンズの軸に直交する断面に表れる円弧を多角形状、すなわち折れ線状に変更したものであり、各半円柱状のレンズに施されるプリズムカットはそれぞれが密接する状態で平行に施される。
この実施例では第一プリズム３ａと第二プリズム４ａが直交するように配設されている。
【００３４】
光源２であるＬＥＤは、白熱電球や放電灯に比べて照射角度が狭い。その主照射方向は基板５０の法線方向となるように設置する。光源２として照射角度が狭いＬＥＤを利用すると、白熱電球を用いた場合にくらべて光源２の真上の部分とそれ以外の部分との輝度差が大きくなり、例えば、曇りガラスのような拡散シートを光源２の前方側に設けたとしても光源設置個所が光るのみである。しかしながら、本実施形態においては、前記したように第一プリズム３ａと第二プリズム４ａが直交するように配設されている。したがって、ＬＥＤ光源２の直上の輝点７０のみでなく、図４に示したようにＬＥＤから離れた個所においても擬似的に光源が存在するよう複数の輝点７１が観視される。
【００３５】
図６に示すものはスイッチの要部における光路を概念的に示すものである。光源２ａおよび光源２ｂから放射される光のうち、その光軸方向である真上に向かって進む光は第一プリズムシート２４ａおよび第二プリズムシート２４ｂを通って照射される。このとき第一多面プリズム３ａおよび第二多面プリズム４ａにより屈折されながら進む。また、光源２ａ、光源２ｂから斜め方向に向かった光および反射面５ａに向かって反射した光も第一多面プリズム３ａおよび第二多面プリズム４ａにより屈折されながら進む。
【００３６】
このとき、第一多面プリズム３ａは近似的には半円柱形状であり、その軸方向に向かう光に対する屈折と軸方向と直交する方向に対する屈折度ではその割合が異なる。同様に第一多面プリズム４ａも近似的には半円柱形状であり、その軸方向に向かう光に対する屈折と軸方向と直交する方向に対する屈折度ではその割合が異なる。また、半円柱形状ではなく、折れ曲がった複数の直線断面を有する多面プリズムとされ、かつ、両プリズムの光軸が交差するように配設されているため、点光源であるＬＥＤが点灯した場合には、当該光源２の真上部分のみでなく、その真上を中心とするその近傍領域においても、屈折した光の集光部が形成され、擬似的な光源として観視されることになる。例えば、第一多面プリズム３ａおよび第二多面プリズム４ａが半円柱形状を４等分に分割した４面プリズムの場合には、光源真上の部分のみでなく４×４＝１６個の集光部（擬似光源）が観視される。光源であるＬＥＤの発光面積が小さいので多面プリズムの分割数を多くすると擬似光源数が多くなり好ましくない。
そこで、各半円柱形状のプリズムの分割数は５〜１０分割が好適である。これ以上分割数が多いと擬似的な光源として観察されにくく均一な発光面として観視され易くなり奥行き感およびデザインの斬新性に乏しくなる。また分割数がこれより小さいと発光点として観視される数が少なくなり、キラキラ感が乏しくなる。
【００３７】
例えば、各半円柱形状のプリズムの分割数が２の場合は断面Ｖ字状の三角柱状プリズムとなる。このようなプリズムを形成したプリズムシートを各々の光軸が交差するようにして設けた場合には、点光源となる光輝する集光部（擬似光源）が観視されずに光源２の直上を通る直線状に光輝するものとなった。また、各半円柱形状のプリズムの径を０．１５ｍｍとした場合、１０よりも多くの分割を行うためには、多面プリズムの折れ線部の境界の折れ角度が小さくなるため加工が難しく多面プリズムの境界が不鮮明となった。そのため、半円柱状のプリズムを用いたときに類似の点灯状態として観察された。したがって、少ない光源で、多数の光源を設けたように、且つ、奥行き感のあるスイッチとするためには、上記の分割数が好適である。
【００３８】
光源２ａ，２ｂ，２ｃとして面実装タイプのＬＥＤを基板上に搭載し、各プリズムシート２４ａ，２４ｂに形成する半円柱形状に近似した多面プリズム３ａ，４ａのピッチを変更して検討を行った。スイッチの光輝領域３０の最短径をＡ、この実施形態においては楕円の短軸方向の長さに相当、ＬＥＤ表面とプリズムシート２４表面との距離Ｂとした場合、同じ奥行きで各種ピッチを変えて検討した結果、各ＬＥＤ光源において上記した集光部（擬似光源）はＡ／Ｂが３以上となるようにすることが好適である。各半円柱形状のプリズムのピッチが大きいとＡ／Ｂが小さくなり光源の必要数が増加する。少ない光源数で、且つ大きなピッチとするためには距離Ｂを大きくとらなければならない。しかしＡ／Ｂを３以上とすると薄い厚みで広い面積を有効に照射することができる。
【００３９】
また、光源２から放射され多面プリズム３ａ，４ａの光源と対峙する表面から放射される光は、それ程迂回することなく、ほヾ直線的に放射するものであるので、光源２が設置された位置から放射されている距離感として観視される。これに対して、同じ光源２から放射され、光源２から遠方の多面プリズムから放射される光は、当該スイッチ２内で略光輝領域３０の上下幅にほヾ相当、或いは反射面５ａを経由する場合にはそれ以上に長い光路を経て表面部材２１に入射するものとなるので、この光路長が加算された距離感を生じるものとなり、よって、実際のスイッチの奥行きに比べて数倍の奥行感を生じる。以上が総合されてスイッチ素子１は恰も例えば光輝領域の上下幅以上に相当する奥行があるように観視される。
【００４０】
図７は１枚のプリズムシート２４の表裏両面に多面プリズムを形成した例を示す。（Ａ）は表側に形成した第一の多面プリズムの軸方向と裏側に形成した第二の多面プリズムの軸方向とがほぼ直交するように形成した例、（Ｂ）は表側の第一の多面プリズムの軸方向と裏側の第二の多面プリズムの軸方向とが僅かに交差するように形成した例を示す。
上記した実施例においては、プリズムシート２４をそれぞれに多面プリズムを形成した２枚のプリズムシート２４ａ、２４ｂからなるものとしたが、図７に示すような１枚のプリズムシートとした場合も同様の作用を奏する。また、上記実施例のように２枚以上のプリズムシートを用いる場合において、多面プリズムを形成しない側の表面に、魚眼レンズからなる拡散作用を奏するレンズ素子を形成するなどとした場合も本発明に含まれる。
【００４１】
また、本実施例では、非点灯時に光輝領域３０を見ると、プリズムシートを通して光源２および反射面５ａを観察することになる。プリズムシートには第一の多面プリズムおよび第二の多面プリズムが形成されているので、光源２等に到達する光路に著しい差が生じることになる。したがって、かかる光路長の相違により立体的な発光が可能となる。
【図面の簡単な説明】
【００４２】
【図１】本発明に係る自動販売機の押しボタンスイッチの利用形態を説明する自動販売機の正面図である。
【図２】図１の押しボタンスイッチ部を拡大した正面図である。
【図３】第一実施形態の押しボタンスイッチの構成を示す断面説明図である。
【図４】同じ第一実施形態の押しボタンスイッチの光輝領域を示す正面図である。
【図５】同じく第一実施形態の押しボタンスイッチのプリズムシートの要部を説明する斜視図である。
【図６】同じく第一実施形態の押しボタンスイッチの光路を説明する模式的断面図である。
【図７】本発明に係る押しボタンスイッチにおけるプリズムシートの他の実施形態を説明する要部斜視図である。
【図８】従来例を示す断面図である。
【符号の説明】
【００４３】
１    押しボタンスイッチ
２    光源
３、４    プリズムレンズ
４、１４    第二反射部
２０    操作ボタン
２４    プリズムシート
３０    光輝領域
３５    非光輝領域（スイッチ領域）
５０    基板
１００    自動販売機
【図１】
2006031505.tif 000003
【図２】
2006031505.tif 000004
【図３】
2006031505.tif 000005
【図４】
2006031505.tif 000006
【図５】
2006031505.tif 000007
【図６】
2006031505.tif 000008
【図７】
2006031505.tif 000009
【図８】
2006031505.tif 000010